(57)【要約】      （修正有）【課題】インクカートリッジ、硯、筆山を一体化したインク自動供給セットを提供する。【解決手段】インクを貯蔵するインクカートリッジおよびベンドインクホッパー本体を含むインク自動供給セットであり、インクカートリッジ１の頂部に円形ホールを備え、ホールの大きさはベンドインクホッパー２をインクカートリッジの中に嵌め込むことができ、上部開口５はインクカートリッジの頂部に残り、上部開口にはカバーがあり、ベンドインクホッパーは上下の二つの部分に分けられ、上半分はラッパ形に似ており、下半分はドラム形に似ている。ベンドインクホッパーの曲がっている部分にインクオーバーフロー開口６を備え、インクオーバーフロー開口に対応してスルースゲートが設けられ、スルースゲートに密着してスルースゲートを固定するバッフル３が設けられ、バッフルとベンドインクホッパーは一体的につながっている。【選択図】図１
0003224065.tif 000002
【実用新案登録請求の範囲】
【請求項１】
インクを収容するインクカートリッジとベンドインクホッパーを含み、
前記インクカートリッジの頂部にはホールを備え、
該ホールの大きさは、前記ベンドインクホッパーを前記インクカートリッジに嵌め込むことができるように設定され、
開口が前記ベンドインクホッパーの頂部に設けられ、前記開口にはカバーがあり、前記開口とカバーの間は爪とバックルでつながり、
前記開口のカバーは、内部に密封パッキンがあり、内壁にバックルがある密封カバー、又は、サイドに一つのホールがあり、該ホールの大きさは毛筆軸の太さに相当する仮設カバーであり、
前記ベンドインクホッパーは上下の二つの部分に分けられ、上半分はラッパ形に似ており、毛筆にインクコントロールとインク均一化の場所を提供し、下半分はドラム形であり、インクを貯蔵し、毛筆にインクをつける場所を提供し、
前記ベンドインクホッパーの曲がっているところに、インクオーバーフロー開口が設けられ、該インクオーバーフロー開口を閉じたり、その大きさをコントロールするため、前記インクオーバーフロー開口に対応するスルースゲートを設け、該スルースゲートにハンドルを設け、
前記スルースゲートに密着し、前記スルースゲートを固定するバッフルを設け、該バッフルと前記ベンドインクホッパーとは一体的に接続されており、
前記スルースゲートを開けると、前記インクカートリッジのインクが前記インクオーバーフロー開口を経て前記ベンドインクホッパーに流れ込み、同時に空気も前記インクオーバーフロー開口を経て前記インクカートリッジに入り、前記ベンドインクホッパーのインクが絶えず増えてきて、前記インクオーバーフロー開口を浸すと、空気が前記インクカートリッジに入ることができなくなり、前記インクカートリッジの内外の気圧がバランスに達し、インクが流れ出なくなることを特徴とするインク自動供給セット。
【請求項２】
毛筆を入れるケースを組み合わせており、該ケースは、インク自動供給セットの頂部または側面に設けることができ、その形状と大きさはインク自動供給セットと適合し、毛筆の大きさと長さは毛筆ケースと適合することを特徴とする請求項1記載のインク自動供給セット。
【請求項３】
インク自動供給セットの側面に一つの目覚まし時計を設けることを特徴とする請求項1記載のインク自動供給セット。
【考案の詳細な説明】
【技術分野】
【０００１】
本考案は一種の書画用品に関するものであり、特に一種のインク自動供給セットに関するものである。
【背景技術】
【０００２】
書道は中国の伝統文化であり、文字の美を表す芸術でもある。近年、国が伝統文化を重視するにつれて、ますます多くの人が書道の練習を通じて心身を修養することになってきた。それに伴い、文房四宝の使用量も大幅に増加してきた。硯は毛筆にインクを提供するために使われている。
【考案の概要】
【考案が解決しようとする課題】
【０００３】
従来の硯の場合、書道の練習に欠かせないものが多く、例えば、紙を押さえるための文鎮、筆を置くための筆山、硯、墨などが必要で、アイテムが多く、占用する場所も多く、携帯に不便である。インクを入れるのが不便であること、乾燥しやすいこと、絶えず洗浄する必要があることなどの問題がある。
【課題を解決するための手段】
【０００４】
上述したような従来技術の欠点と様々な不足に鑑み、本考案が解決しようとする技術的な問題は一種のインク自動供給セットを提供することであり、インク自動供給セットの中核部分はインクを注入するためのベンドインクホッパーというものであり、その形状は曲がったホッパーに似ており、その機能は下記の通りである。ベンドインクホッパーにあるインクが少なくなると、自動的に補充し、一定量になると自動的に停止し、ベンドインクホッパーに貯蔵するインクの量が常に均衡的である。インク自動供給セットは文鎮、インクカートリッジ、硯、筆山を一体化させ、マルチファンクションを実現している。
【０００５】
本考案は一種のインク自動供給セットを提供し、インクを収容するインクカートリッジとベンドインクホッパーを含み、インクカートリッジが任意の形状であってもよく、インクカートリッジとベンドインクホッパーは実際の必要に応じて任意に組み合わせることができ、2つ以上のインク自動供給セットを組み合わせてワンセットインク自動供給セットを形成でき、複数の絵の具を収容しやすく、絵を描くのも楽になる。
【０００６】
インクカートリッジの頂部には円形ホールを備え、ホールの大きさはちょうど、ベンドインクホッパーをインクカートリッジに嵌め込むことができ、ベンドインクホッパーとインクカートリッジの頂部との接続部は接着剤でしっかりと粘着され、密封され、インク漏れしないようにする。
【０００７】
ベンドインクホッパーの開口はインクカートリッジの頂部に設けられ、開口にはカバーがあり、開口とカバーの間には爪とバックルでつながり、開口のカバーには2種類があり、一つは密封カバーで、密封カバーの中に密封パッキンがあり、インク自動供給セットを使わない時または外に持ち運ぶ時に、密封カバーを閉める必要があり、インク漏れを防ぐ。
【０００８】
もう一つは仮設カバーで、仮設カバーのサイドに一つのホールがあり、ホールの大きさは毛筆軸の太さに相当しており、毛筆は一時的に使わない時に、毛筆をベンドインクホッパーに置き入れ、仮設カバーを閉める。
【０００９】
これは毛筆軸の周りの隙間をカバーし、インクの蒸発を防止でき、毛筆を洗う必要がない。ベンドインクホッパーは上下の二つの部分に分けられ、上半分はラッパ形に似ており、上が広く、下が狭く、毛筆にインクコントロールとインク均一化の場所を提供し、下半分はドラム形に似ており、インクカートリッジの底に密着し、主に適量のインクを貯蔵するのに用いられる。
【００１０】
ベンドインクホッパーの曲がっているところに、インクオーバーフロー開口が設けられ、インクオーバーフロー開口を閉じたり、その大きさをコントロールするために、インクオーバーフロー開口に対応するスルースゲートを設け、スルースゲートに比較的長いハンドルを設け、長いハンドルには二つの役割があり、一つは開閉と大きさのコントロールに便利であり、もう一つはスルースゲートを閉じるのを忘れることを防ぐためである。
【００１１】
スルースゲートを閉めないと、スルースゲートの長いハンドルが開口の外側に伸び、開口のカバーが閉められなくなる。スルースゲートを閉めてから、密封カバーを閉める。こうして、二つの方法で同時にインク漏れを防いでいる。
【００１２】
スルースゲートに密着したのはスルースゲートを固定するバッフルであり、バッフルとベンドインクホッパーとは一体的に接続されている。インク自動供給セットの動作原理は下記の通りである。まずスルースゲートを開ける。
【００１３】
インクカートリッジのインクがインクオーバーフロー開口を経てベンドインクホッパーに流れ込み、同時に空気もインクオーバーフロー開口を経てインクカートリッジに入り、こうしてベンドインクホッパーのインクが絶えず増えてきて、インクオーバーフロー開口を浸すと、空気がインクカートリッジに入ることができなくなり、インクカートリッジの内外の気圧がバランスに達し、インクが流れ出なくなる。
【００１４】
ベンドインクホッパーのインクが毛筆につけられると、インクオーバーフロー開口が現れ、元の気圧バランスが崩れ、空気がインクオーバーフロー開口を通じてインクカートリッジに入り、インクカートリッジのインクがインクオーバーフロー開口を通じてベンドインクホッパーに流れ込み、インクが徐々に増えてきて、インクオーバーフロー開口を浸し、空気がインクカートリッジに入られなくなり、内外の気圧がバランスを取り、インクが流れなくなる。
【００１５】
インク自動供給セットのインクが自動的に流れ出たり、自動的に閉じたり、そしてインクの量が常にバランスがとれたりしている理由である。
【００１６】
サイズの大きな毛筆を使う場合、スルースゲートを大きく開け、ベンドインクホッパーのインク貯蔵量が多くなる。サイズの小さな毛筆を使う場合、スルースゲートを小さくして、ベンドインクホッパーのインク貯蔵量が小さくなる。適時に適量のインクを供給することはインク自動供給セットの機能である。
【００１７】
前記インク自動供給セットに毛筆を入れるケースを組み合わせており、インク自動供給セットの頂部または側面などに設けることができ、その形状と大きさはインク自動供給セットと適合し、毛筆の大きさと長さは毛筆ケースと適合し、書道を練習するための用品を一緒に組み合わせ、持ち運びと使用により便利である。
【００１８】
インク自動供給セットに一つの目覚まし時計を設けている。
【図面の簡単な説明】
【００１９】
【図１】本考案実施形態のインク自動供給セットの構造図である。
【図２】同じくベンドインクホッパーの構造図である。
【図３】同じくインクカートリッジの平面図である。
【図４】同じく密封カバーの透視図である。
【図５】同じく密封カバー上にあるバックルの一部イメージ図である。
【図６】同じく仮設カバーの鳥瞰図である。
【図７】同じく開口上にある爪の一部イメージ図である。
【図８】同じく毛筆ケースのイメージ図である。
【考案を実施するための形態】
【００２０】
以下、本考案の実施形態のインク自動供給セット100を図１〜図８を参照して説明する。
【００２１】
インク自動供給セット100は、インクを収容するインクカートリッジ1とベンドインクホッパー2を含む。ここでは直方体のインクカートリッジ1を例として説明する。インクカートリッジ1の頂部には円形のホール11を備える。ベンドインクホッパー2をインクカートリッジ1に嵌め込む構造である。ホール11の大きさは、ベンドインクホッパー2をインクカートリッジ1に嵌め込むことができるものである。開口5はベンドインクホッパー2の頂部に設けられる。開口5にはカバーがあり、開口5とカバーの間に、爪71とバックル43でつながっている。開口5のカバーには2種類があり、一つは密封カバー41で、密封カバー41の中に密封パッキン42がある。もう一つは仮設カバー61で、仮設カバー61のサイドに一つのホール61ａがあり、ホール61ａの大きさは毛筆軸の太さに相当している。
【００２２】
ベンドインクホッパー2は、上下の二つの部分に分けられ、上半分はラッパ形に似ており、毛筆にインクコントロールとインク均一化の場所を提供し、下半分はドラム形に似ており、適量のインクを貯蔵する。
【００２３】
ベンドインクホッパー2の曲がっているところに、インクオーバーフロー開口6が設けられている。インクオーバーフロー開口6を閉じたり、その大きさをコントロールするために、インクオーバーフロー開口6に対応するスルースゲート4を設けている。スルースゲート4に比較的、長いハンドルを設ける。スルースゲート4に密着するのは、スルースゲート4を固定するバッフル3である。バッフル3とベンドインクホッパー2とは一体的に接続されている。
【００２４】
インク自動供給セット100(図1)の動作原理は下記の通りである。スルースゲート4を開けると、インクカートリッジ1のインクがインクオーバーフロー開口6を経てベンドインクホッパー2に流れ込む。同時に空気もインクオーバーフロー開口6を経てインクカートリッジ1に入る。ベンドインクホッパー2のインクが絶えず増えてきて、インクオーバーフロー開口6を浸すと、空気がインクカートリッジ1に入ることができなくなり、インクカートリッジ1の内外の気圧がバランスに達し、インクカートリッジ1のインクがベンドインクホッパー2に流れ出なくなる。
【００２５】
インク自動供給セット100に毛筆を入れる毛筆ケース80を組み合わせている。毛筆ケース80はインク自動供給セット100の頂部または側面に設けることができ、その形状と大きさはインク自動供給セット100と適合し、毛筆の大きさと長さは毛筆ケース80と適合し、書道を練習するための用品を一緒に組み合わせ、持ち運びと使用により便利である。
【００２６】
さらに、前記インク自動供給セット100の側面に一つの目覚まし時計を設け、学生の早起きに便利さを与える。
【符号の説明】
【００２７】
1     インクカートリッジ
2     ベンドインクホッパー
3     バッフル
4     スルースゲート
5     開口
6     インクオーバーフロー開口
11    ホール
41    密封カバー
42    密封パッキン
43    バックル
61    仮設カバー
71    爪
80    毛筆ケース
【図１】
0003224065.tif 000003
【図２】
0003224065.tif 000004
【図３】
0003224065.tif 000005
【図４】
0003224065.tif 000006
【図５】
0003224065.tif 000007
【図６】
0003224065.tif 000008
【図７】
0003224065.tif 000009
【図８】
0003224065.tif 000010